(57)【要約】【課題】通信事業者毎に専用の無線通信装置を用いずに、通信事業者毎に異なるＩＰ通信網を利用でき且つ音声通話をＩＰパケットにて伝送するに適しているかを判定すること。【解決手段】昇降機１からデータを得て昇降機の状態を監視する監視装置２と、監視装置から送られた昇降機の異常状態を含めた状態のデータを通信事業者から提供されるＩＰ無線通信網４に伝送する無線通信装置３と、ＩＰ無線通信網を通して接続される管制センター５と、を備え、管制センター５は、受信したＩＰパケット間の時間間隔を計測する計測部１５と、ＩＰパケット間の時間間隔が予め定めた規定時間以上経過したかを判定する判定部１６と、判定部で判定した判定回数が所定回数に達したかを計数する計数部１７と、所定回数に達した場合に、ＩＰ無線通信網４の通信品質が不適である旨を表示する表示部１２と、を有する。【選択図】図１
2015046046.tif 000002
【特許請求の範囲】
【請求項１】
昇降機からデータを得て前記昇降機の状態を監視する監視装置と、
前記監視装置から送られた前記昇降機の異常状態を含めた状態のデータを、通信事業者から提供されるＩＰ無線通信網に伝送する無線通信装置と、
前記ＩＰ無線通信網を通して接続される管制センターと、を備えた昇降機遠隔監視システムにおいて、
前記管制センターは、受信したＩＰパケット間の時間間隔を計測する計測部と、前記ＩＰパケット間の時間間隔が予め定めた規定時間以上経過したかを判定する判定部と、前記判定部で判定した判定回数が所定回数に達したかを計数する計数部と、を有し、さらに、前記所定回数に達した場合に、前記ＩＰ無線通信網の通信品質が不適である旨を表示する表示部と、を有する
ことを特徴とする昇降機遠隔監視システム。
【請求項２】
請求項１において、
前記ＩＰ無線通信網を用いて音声通話をＩＰパケット伝送にて行う場合、ＩＰパケットの遅延に伴う音声通話の途切れの無いＩＰ無線通信網であることを確認する計測機能を、前記無線通信装置に装備せずに前記管制センターの前記計測部、前記判定部、前記計数部にて行う
ことを特徴とする昇降機遠隔監視システム。
【発明の詳細な説明】
【技術分野】
【０００１】
本発明は、昇降機遠隔監視システムに係わり、特に、ベストエフォート方式の通信ネットワークを用いて監視を行なう場合、ＩＰパケットにて音声信号を伝送する昇降機遠隔監視システムに関する。
【背景技術】
【０００２】
従来、昇降機の状態を監視する昇降機遠隔監視システムは、昇降機に設置された監視装置と監視を行なう管制センター装置とを電話回線網で接続して行っている。この電話回線は、有線のアナログ公衆回線網または無線であるＰＨＳ網などが使用され、近年はＩＰ（Ｉｎｔｅｒｎｅｔ  Ｐｒｏｔｏｃｏｌ）網を通信網に使用する場合もある。
【０００３】
昇降機の監視において特に重要なことは、昇降機かご内に人が閉じ込められたときに、かご内インターフォンと管制センターとを通信網にて接続し、通話を行う機能である。この音声通話をＩＰ網にて送受する場合、一般的に音声信号をデジタル変換した後、ＩＰパケットというデジタル信号の塊りとして送受し、ＩＰパケットを受信した側は、ＩＰパケットにて伝送されたデジタル信号化された音声信号をアナログ信号に変換することで、音声通話が可能となる。ここで、快適な音声通話を実現するためには連続して途切れの無い音声を出力する必要がある。
【０００４】
しかし、一般的にＩＰ通信網は一つの伝送路を複数の利用者が共有して使用するため、利用者が多くなると通信網を通るＩＰパケットの数が多くなり、ＩＰパケットの伝送に遅延が発生する場合がある。
【０００５】
また、近年は無線通信にて提供されるＩＰ通信網が多数提供されており、この場合、電波の一時的な減衰や電波の反射による影響によって正常にＩＰパケットを伝送できない場合があり、ＩＰパケットが欠損する場合がある。この様な場合、ＩＰパケット伝送の連続性が一時的に途切れ、受信側の許容時間を過ぎると受信側にてアナログ音声信号として正常に復元できずに、音声の途切れや雑音が入ってしまう。したがって、ＩＰ回線網において音声信号を送受する場合、ＩＰ通信網はＩＰパケットを伝送するのに最低限必要な通信遅延時間を確保できる通信路の品質が必要とされる。
【０００６】
そこで、通信網の通信品質を高品質に維持するための従来技術として、例えば特許文献１には、監視センターとＩＰ通信網を介して接続される通報装置において、通報装置内に通信路の種類に応じて所定の時間間隔で通信網の品質を複数の計測項目にわたって計測する手段を設け、その測定結果を解析して通信品質が正常な状態でないと判断した場合に警告メッセージを監視センターに送信するという技術が提案されている。
【先行技術文献】
【特許文献】
【０００７】
【特許文献１】特開２００９−１７７４４１号公報
【発明の概要】
【発明が解決しようとする課題】
【０００８】
近年、ＩＰ通信網は様々な事業者から提供されており、提供される無線通信の規格や無線通信装置の規格が事業者ごとにそれぞれ異なる場合が多い。また、利用する際の通信料金もそれぞれ事業者ごとに契約の特徴を出しており、利用形態や利用する通信データ量に見合う契約を選択して利用できるようになっている。また、事業者が提供するＩＰ通信網の地域においても、都市部を重点的に提供する事業者や、過疎地や山間部なども含めて全域にわたって通信可能エリアを展開し、通信可能エリアの広さを特徴として展開する事業者も存在する。
【０００９】
昇降機を遠隔監視するシステムは、昇降機はビル内の縦方向における交通手段であるため、一般的にビルが多く存在する都市部に多いが、ダムや橋など都市部ではない地域にも多数納められ、それらを遠隔監視するニーズは非常に高い。この様な都市部でない地域の場合、都市部を重点的に展開している事業者から提供されるＩＰ無線網を使用することは出来ず、全国を全域にわたって展開している事業者のＩＰ無線網を利用することとなる。しかし、利用料金は都市部を重点的に展開している事業者の方が安価な場合が多いという事情がある。
【００１０】
このように、昇降機を遠隔監視する地域または通信料金によって、ＩＰ無線網を提供する事業者を選択する必要が生じるが、昇降機側に設けられＩＰ無線網に接続する無線通信装置は、前述した通り事業者ごとに異なる場合が多いため、利用する事業者によって無線通信装置を変更する必要がある。
【００１１】
また、ＩＰ無線通信網を利用して音声通話をＩＰパケット伝送にて行なう場合、通信網の品質によってＩＰパケットの遅延が発生すると、通話音声が途切れるといった課題があるため、音声通話に適したＩＰ通信網であることを計測する必要がある。
【００１２】
上記の特許文献１に開示された技術においては、通信事業者のＩＰ無線網に接続される通報装置にＩＰ無線網の品質を計測する機能を具備しているため、通信事業者ごとに専用の計測手段を具備した通報装置を用意しなければならないという課題がある。また、通信事業者毎の専用機能を設けることから、通信事業者から提供される一般的な無線通信装置が利用できないという課題も発生する。
【００１３】
そこで、本発明の目的は、通信事業者毎に専用の無線通信装置を用いること無く、通信事業者毎に異なるＩＰ通信網を利用できるとともに、ＩＰ通信網の品質が音声通話をＩＰパケットにて伝送するのに適しているか否かを判定することのできる昇降機の遠隔監視をするシステムを提供することにある。
【課題を解決するための手段】
【００１４】
前記課題を解決するために本発明は次のような構成を採用する。
【００１５】
昇降機からデータを得て前記昇降機の状態を監視する監視装置と、前記監視装置から送られた前記昇降機の異常状態を含めた状態のデータを、通信事業者から提供されるＩＰ無線通信網に伝送する無線通信装置と、前記ＩＰ無線通信網を通して接続される管制センターと、を備えた昇降機遠隔監視システムにおいて、前記管制センターは、受信したＩＰパケット間の時間間隔を計測する計測部と、前記ＩＰパケット間の時間間隔が予め定めた規定時間以上経過したかを判定する判定部と、前記判定部で判定した判定回数が所定回数に達したかを計数する計数部と、を有し、さらに、前記所定回数に達した場合に、前記ＩＰ無線通信網の通信品質が不適である旨を表示する表示部と、を有する構成とする。
【発明の効果】
【００１６】
本発明によれば、管制センター内のＩＰパケット受信設備において、ＩＰパケットの受信間隔からＩＰ無線通信網の品質を計測するため、昇降機に接続して設置する無線通信装置に通信事業者毎の専用の計測手段を具備する必要が無く、通信事業者から提供される一般的な無線通信装置を利用することができる。
【００１７】
また、管制センターにて一元的に通信品質を計測し判定するため、通信事業者または無線通信装置に関わらずに公平な通信品質の判定をすることができる。
【図面の簡単な説明】
【００１８】
【図１】本発明の実施形態に係る昇降機遠隔監視システムの全体構成を示すブロック図である。
【図２】本実施形態に係る昇降機遠隔監視システムで用いられるＩＰパケットの遅延時間の例を示す説明図である。
【図３】本実施形態に係る昇降機遠隔監視システムの通信ネットワーク適用可否の判定手順を示すフローチャートである。
【発明を実施するための形態】
【００１９】
本発明の実施形態に係る昇降機遠隔監視システムについて、図１〜図３を参照しながら以下詳細に説明する。図１は本発明の実施形態に係る昇降機遠隔監視システムの全体構成を示すブロック図である。図１において、１は昇降機、２は監視装置、３は無線通信装置、４は通信事業者の提供する無線ＩＰ網、５は管制センター、１０は昇降機制御盤、１１はＩＰパケット受信設備、１２は表示器、１５は受信間隔計測部、１６は遅延判定部、１７は遅延回数計数部、をそれぞれ表す。
【００２０】
図１において、本実施形態の昇降機遠隔監視システムは、昇降機１、監視装置２、無線通信装置３、通信事業者無線ＩＰ網４、管制センター５、から構成され、昇降機１内には昇降機制御盤１０が設けられ、管制センター５内にはＩＰパケット受信設備１１と表示器１２が設けられ、さらに、ＩＰパケット受信設備１１内には受信間隔計測部１５と遅延判定部１６と遅延回数計数部１７が設けられている。監視装置２と無線通信装置３は昇降機１側に図示のように設置されて無線ＩＰ網４と接続されている。
【００２１】
監視装置２は、昇降機１の昇降機制御盤ｌａに接続されていて昇降機１の運行データから昇降機１の状態を監視しており、検知した昇降機１の異常情報データ（正常な情報データをも含めて）を無線通信装置３並びに通信事業者提供の無線ＩＰ網４を介して、管制センター５に伝送する。管制センター５内には、監視装置２から無線通信装置３にて無線ＩＰ網４を経由して伝送されるＩＰパケットデータを受信するＩＰパケット受信設備１１が設けられている。
【００２２】
ＩＰパケット受信設備１１は、受信したＩＰパケットとＩＰパケットの時間間隔を計測する受信間隔計測部１５と、この受信間隔が一定時間以上経過したかを判定する遅延判定部１６と、遅延した回数を計数する遅延回数計数部１７と、から構成されている。ＩＰパケット受信設備１１には、遅延回数計数部１７の計数値が予め設けた判定値を超えた場合に、通信品質に問題がある旨のメッセージを表示する表示器１２が接続されている。
【００２３】
図２は本実施形態に係る昇降機遠隔監視システムで用いられるＩＰパケットの遅延時間の例を示す説明図である。図２に示すように、無線通信装置３から管制センター５にＩＰパケット１，２，３が遅延時間ｔ１，ｔ２をもって送られる。ここで、ＩＰパケット受信設備１１内のパケット間隔計測部１５は、図２に示すように伝送されてくるＩＰパケットの遅延時間ｔｌ，ｔ２を毎回計測している。
【００２４】
次に、本発明の実施形態に関する管制センター５内のＩＰパケット受信設備１１における通信ネットワーク適用可否の判定について、図３を参照しながら以下説明する。図３は本実施形態に係る昇降機遠隔監視システムの通信ネットワーク適用可否の判定手順を示すフローチャートである。
【００２５】
ステップＳｌにてＩＰパケットを受信した後、ステップＳ２にて受信間隔計測部１５は次のＩＰパケットが受信されるまでの時間を計測する。ステップＳ３で遅延判定部１６は計測した受信間隔時間ｔｌが予め定めた規定時間以上経過したか否かを判定し、計測した時間ｔ１が規定時間未満の場合はステップＳｌに戻り、以後同じ動作を繰り返す。ステップＳ３にて計測した受信間隔時間ｔｌが予め定めた規定時間以上であると判定した場合、ステップＳ４に移行する。
【００２６】
ステップＳ４で遅延回数計数部１７は規定時間以上となった回数を計数しており、この回数が予め規定した所定回数に達したか否かを判定する。受信間隔時間が規定時間以上となった回数が予め規定した所定回数に達していない場合はステップＳｌに戻り、以後同じ動作を繰り返す。ステップＳ４にて上述した所定回数に達したと判定した場合は、ステップＳ５に移行する。
【００２７】
ステップＳ５では、ステップＳ２にて計測した遅延時間と、ステップＳ４にて計測した所定回数に達した回数とともに、昇降機１と監視装置２の顧客情報と、無線通信装置３の通信事業者との契約情報と、を合わせて表示器１２に表示する。表示後、ステップＳｌを実施する。
【００２８】
このように、管制センター５内に設けたＩＰパケット受信設備１１内において、受信間隔計測部１５と、遅延判定部１６と、遅延回数計数部１７と、を設け、表示器１２で計測情報を表示することにより、通信事業者が異なり、無線通信装置３が通信事業者ごとに異なった場合においても通信ネットワークがＩＰパケットにて音声を伝送するのに適した状態か否かを判定することができる。また、無線通信装置３に通信事業者専用の測定機能を搭載しなくても、通信ネットワーク適用可否について実現可能であるため、通信事業者から提供される一般的な無線通信装置を使用することが出来る。換言すると、本実施形態においては、通信事業者毎に専用の無線通信装置を用いること無く、通信事業者毎に異なるＩＰ通信網を利用できるとともに、ＩＰ通信網の品質が音声通話をＩＰパケットにて伝送するのに適しているか否かを判定することができるものである。
【００２９】
以上説明したように、本発明の実施形態における概略的な特徴は、昇降機に接続されて昇降機の運行データから昇降機の異常を検知する監視装置と、監視装置に接続されて監視装置から伝送される昇降機の異常を示すデータ（正常なデータを含めて）を、通信事業者から提供されるＩＰ無線通信網に接続する無線通信装置と、通信事業者から提供されるＩＰ無線網とＩＰネットワークを介して接続される管制センターと、から構成される昇降機遠隔監視システムにおいて、管制センターに設けたＩＰパケット受信設備に、受信したＩＰパケットの時間間隔を計測する機能と、受信するＩＰパケットの時間間隔が予め定めた規定時間以上経過した回数を計測する機能と、を設け、ＩＰパケットの遅延回数が予め設定した所定回数に達した場合に通信品質に問題があると判断して、その旨のメッセージを表示する機能を管制センターに設けたことを特徴とする。
【符号の説明】
【００３０】
１  昇降機
２  監視装置
３  無線通信装置
４  通信事業者の提供する無線ＩＰ網
５  管制センター
１０  昇降機制御盤
１１  ＩＰパケット受信設備
１２  表示器
１５  受信間隔計測部
１６  遅延判定部
１７  遅延回数計数部
【図１】
2015046046.tif 000003
【図２】
2015046046.tif 000004
【図３】
2015046046.tif 000005